(57)【特許請求の範囲】
【請求項１】
主流路を内設した略円筒状の胴部と、前記胴部の途中に前記主流路より分岐した分岐流
路を内設した略円筒状の分岐部を備えた略Ｔ字状の本体と、
前記本体の前記主流路の一方の接続口に回転自在に設置された袋ナットと、
前記分岐流路の接続口に固定金具を介して接続された接続ホースと、を含み、
前記主流路の前記接続口は前記胴部の両端に備え、前記分岐流路の前記接続口は前記分岐部の先端に備え、
前記本体の前記主流路の他方の接続口の外周には接続ねじと、前記接続ねじの外径より大きい円形のフランジを備え、前記本体の前記胴部の両面に前記フランジと前記分岐部と前記接続ホースと前記固定金具の外周以上に突出した平面を有する保持部が形成されたことを特徴とする、
分岐配管部材。
【請求項２】
前記保持部は前記フランジの前記接続ねじ側の端部より、前記分岐流路の少なくとも中心を超える範囲まで形成された、
請求項１に記載の分岐配管部材。
【請求項３】
請求項１または２に記載の分岐配管部材を使用して、前記分岐配管部材の前記接続ホースを給水接続部に接続した構成の、
衛生洗浄装置。
【発明の詳細な説明】
【技術分野】
【０００１】
本発明は衛生洗浄装置に水道水を供給する分岐配管部材に関するものである。
【背景技術】
【０００２】
従来、１個の給水源を分岐して２個の器具に給水する分岐配管部材としては、給水源である止水栓にＴ字形の分岐接続金具を袋ナット使用したねじで接続し、主流路に接続する器具は袋ナットを介して接続し、分岐流路に接続する器具は容易に着脱ができるクイック接続具を介して接続している（例えば、特許文献１参照）。
【０００３】
図６は、特許文献１に記載された従来の分岐配管部材を示すものである。図６に示すように、給水源となる止水栓１の接続口２には接続ねじが形成されており、分岐配管部材３の袋ナット４を介して接続固定される。分岐配管部材３の主流路側には、接続口５に接続ねじが形成されたねじ変換ソケット６が取り付けられており、主流路側に接続する器具とは袋ナットを介して接続される構成となっている。一方、分岐流路側の接続口７は、クイック接続具８を介して分岐流路側に接続される配管９が接続されている。
【先行技術文献】
【特許文献】
【０００４】
【特許文献１】特開２００１−１８２１０８号公報
【発明の概要】
【発明が解決しようとする課題】
【０００５】
しかしながら、前記従来の構成では、流路の分岐に使用する部材の数が多く、また構造が複雑であるためコストアップに繋がるものである。また、接続時の作業もねじの接続とクイック接続の２種類の接続作業を行う必要があり作業ミスが発生しやすく、漏水等の不具合が発生することが懸念されるものである。
【０００６】
本発明は、前記従来の課題を解決するもので、分岐配管部材を簡単な構造とすることに
より、低コストで作業性を向上することができ、しかも作業ミスが発生しにくく安全性と安定性の高い分岐配管部材を提供することを目的とする。
【課題を解決するための手段】
【０００７】
前記従来の課題を解決するために、本発明の分岐配管部材は、主流路を内設した略円筒状の胴部と、胴部の途中に主流路より分岐した分岐流路を内設した略円筒状の分岐部を備えた略Ｔ字状の本体と、本体の主流路の一方の接続口に回転自在に設置された袋ナットと、分岐流路の接続口に固定金具を介して接続された接続ホースとを含み、主流路の接続口は胴部の両端に備え、分岐流路の接続口は分岐部の先端に備え、本体の主流路の他方の接続口の外周には接続ねじと、接続ねじの外径より大きい円形のフランジを備え、本体の胴部の両面にフランジと分岐部と接続ホースと固定金具の外周以上に突出した平面を有する保持部が形成されたものである。
【０００８】
これにより、簡単な構造で分岐配管部材を構成することが可能となりコスト低減ができる。また、分岐流路の接続口には接続ホースが予め固定金具を介して接続されているため施工時の施工ミスの発生を抑制することができ。しかも、主流路の両端に設けられたねじの締め付け作業を行うときに、本体の胴部に形成された保持部を工具で本体を保持しながらねじの締め付け作業を行うことができるので、締め付け作業時の供回りを防止して確実な締め付けを行うことが可能となり、水漏れ等の発生を抑制することができる。
【発明の効果】
【０００９】
本発明の分岐配管部材は、低コストと作業性を向上することができる。
【図面の簡単な説明】
【００１０】
【図１】本発明の実施の形態１における分岐配管部材を使用した衛生洗浄装置の斜視図
【図２】図１に示すＡ部の詳細を示す側面図
【図３】本発明の実施の形態１における分岐配管部材の斜視図
【図４】本発明の実施の形態１における分岐配管部材の平面図
【図５】本発明の実施の形態１における分岐配管部材の側面図
【図６】従来の分岐配管部材の一部を断面にした正面図
【発明を実施するための形態】
【００１１】
第１の発明は、主流路を内設した略円筒状の胴部と、前記胴部の途中に前記主流路より分岐した分岐流路を内設した略円筒状の分岐部を備えた略Ｔ字状の本体と、前記本体の前記主流路の一方の接続口に回転自在に設置された袋ナットと、前記分岐流路の接続口に固定金具を介して接続された接続ホースと、を含み、前記主流路の前記接続口は前記胴部の両端に備え、前記分岐流路の前記接続口は前記分岐部の先端に備え、前記本体の前記主流路の他方の接続口の外周には接続ねじと、前記接続ねじの外径より大きい円形のフランジを備え、前記本体の前記胴部の両面に前記フランジと前記分岐部と前記接続ホースと前記固定金具の外周以上に突出した平面を有する保持部が形成されたことを特徴とする、分岐配管部材である。
【００１２】
これにより、簡単な構造で分岐配管部材を構成することが可能となりコスト低減ができる。また、分岐流路の接続口には接続ホースが予め固定金具を介して接続されているため施工時の施工ミスの発生を抑制することができる。しかも、主流路の両端に設けられたねじの締め付け作業を行うときに、本体の胴部に形成された保持部を工具で本体を保持しながらねじの締め付け作業を行うことができるので、締め付け作業時の供回りを防止して確実な締め付けを行うことが可能となり、水漏れ等の発生を抑制することができる。
【００１３】
第２の発明は、特に、第１の発明において、前記保持部は前記フランジの前記接続ねじ側の端部より、前記分岐流路の少なくとも中心を超える範囲まで形成されたものである。
【００１４】
これにより、分岐流路の接続口に接続された接続ホースのどちら側からでも工具で保持部を保持することが可能となり、主流路の両端に設けられた両方のねじの締め付け作業時に保持部を保持することが可能となり、締め付け作業を容易かつ確実に行うことができる。
【００１５】
第３の発明は、特に、第１または第２の発明における分岐配管部材を使用して、前記分岐配管部材の前記接続ホースを給水接続部に接続した衛生洗浄装置である。
【００１６】
これにより、衛生洗浄装置の洗浄水の給水を分岐流路に接続した接続ホースを介して行うことができるため、衛生洗浄装置の設置作業を容易かつ確実に行うことができる。
【００１７】
以下、本発明の実施の形態について、図面を参照しながら説明する。なお、この実施の形態によって本発明が限定されるものではない。
【００１８】
（実施の形態１）
図１は第１の実施の形態における分岐配管部材を使用した衛生洗浄装置の外観の斜視図を示し、図２は図１のＡ部の詳細を示す分岐配管部材周辺の側面図を示し、図３は分岐配管部材の斜視図を示し、図４は本発明の分岐配管部材の平面図を示し、図５は分岐配管部材の側面図を示すものである。
【００１９】
＜１＞分岐配管部材を使用した衛生洗浄装置の構成
図１に示すように、分岐配管部材を使用した衛生洗浄装置１００は、便器２００の上面に載置されており、便器２００の上面後部には便器を洗浄する洗浄水を貯溜するロータンク２１０が設置されている。
【００２０】
衛生洗浄装置１００は、便器２００上面に固定された本体１１０と、本体１１０前部に起倒自在に枢支された便蓋１２０と便座１３０を主構成部材として構成されている。
【００２１】
なお、本実施の形態においては衛生洗浄装置１００の本体１１０の設置側を後方、便座１３０の設置側を前方とし、後方に向かって右側を右側、後方に向かって左側を左側として各構成要素の配置を説明する。
【００２２】
本体１１０の左側には本体１１０と一体に袖部１４０が突出して形成されており、袖部１４０の上面には衛生洗浄装置１００の各機能を操作する複数の操作スイッチ１４１と表示装置１４２が設置されている。
【００２３】
本体１１０の前面部には着座センサ１１１が設置されている。この着座センサ１１１は反射型の赤外線センサであり、人体から反射された赤外線を検出することにより便座１３０上に使用者が存在することを検知する。
【００２４】
本体１１０の後方下部には使用者の局部を洗浄する洗浄水を給水する給水接続部１１２が設けられている。図１および図２に示すように、給水接続部１１２には、水道管２２０に接続され通水および止水が操作を行う止水栓２３０とロータンク２１０に接続された給水管２４０との間に接続された分岐配管部材３００の接続ホース３３０が水密に接続されており、衛生洗浄装置１００に水道水を供給できるようになっている。
【００２５】
本体１１０の内部には、人体局部を洗浄する洗浄手段（図示せず）、洗浄後の局部を乾
燥する乾燥装置（図示せず）、排便時の臭気を脱臭する脱臭装置（図示せず）、それらの機能を制御する制御部（図示せず）等が設置されており、制御部は着座センサ１１１の検知信号と操作スイッチ１４１の操作に基づいて衛生洗浄装置１００の各機能の制御を実施する。
【００２６】
＜２＞分岐配管部材の構成
図３に示すように、分岐配管部材３００は、銅合金を鋳造により成型した本体３１０と、銅合金製の袋ナット３２０と、ＰＥＴ繊維を内蔵したＰＶＣ製の接続ホース３３０を主構成部材としている。
【００２７】
本体３１０は主流路を内設した略円筒状の胴部３１１には両端に接続口を備え、一方の端部に開口した入水接続口３１２には本体３１０に嵌め込んだＣリング（図示せず）で六角形状の袋ナット３２０が回転自在に係止されており、他方の端部に開口した出水接続口３１３の外周には接続ねじ３１５が形成されている。
【００２８】
胴部３１１の中間部には主流路と連通する分岐流路を内設した分岐部３１６が略直角に交差する方向に形成されている。分岐部３１６の先端部には分岐開口（図示せず）が開口しており、外周を細く形成した接続部（図示せず）の外周には複数の円環状の突起（図示せず）が形成されており、接続部の外周に沿って挿入された接続ホース３３０の抜け落ちを防止する形状となっている。接続部に挿入した接続ホース３３０の外周には固定金具３３１が嵌装され、プレスによるかしめ加工により、接続ホース３３０は本体３１０の容易に抜け落ちないように装着されている。
【００２９】
出水接続口３１３の外周に設けられた接続ねじ３１５の元の部分には接続ねじ３１５の外周よりも大きい直径のフランジ３１７が本体３１０と一体に成型されており、異物により接続ねじ３１５が損傷を受けることを防止する構成となっている。
【００３０】
図４に示すように、フランジ３１７と連続して胴部３１１の両面にフランジ３１７の外周以上に突出した平面を備えた保持部３１８が一体に形成されている。保持部３１８の幅は胴部３１１の直径の半分以上を有し、長さ方向の寸法は図５の中心線Ｄで示すように、分岐部３１６の中心を超える長さとなっている。保持部３１８は分岐配管部材３００と止水栓２３０および給水管２４０との接続作業時にねじの締め付けを行う際に、保持部３１８工具で保持することにより本体３１０の供回りを防止することができる。
【００３１】
＜３＞分岐配管部材の設置方法
図２に示すように、分岐配管部材３００を設置する場合には、最初の段階として、分岐配管部材３００と止水栓２３０との接続を行う。この場合、分岐配管部材３００の入水接続口３１２と止水栓２３０の接続口（図示せず）の間にパッキン（図示せず）を介装して分岐配管部材３００の袋ナット３２０を締め付けることにより分岐配管部材３００を止水栓２３０に固定する。この締め付け作業時に図２の矢印Ｂの方向からスパナやプライヤ等の工具で本体３１０の保持部３１８を保持することにより、本体３１０の供回りを防止して所定の角度を維持する。
【００３２】
次に、分岐配管部材３００と給水管２４０との接続を行う。この場合も分岐配管部材３００の出水接続口３１３と給水管２４０の接続口（図示せず）の間にパッキン（図示せず）を介装して給水管２４０の袋ナット２４１を締め付けることにより分岐配管部材３００と給水管２４０を接続する。この締め付け作業時に図２の矢印Ｃの方向からスパナやプライヤ等の工具で本体３１０の保持部３１８を保持することにより、本体３１０の供回りを防止して所定の角度を維持する。
【００３３】
分岐配管部材３００と止水栓２３０および給水管２４０との接続作業が終了した時点で、接続ホース３３０を衛生洗浄装置１００の給水接続部１１２に接続する。給水接続部１１２との接続はクイック接続具（図示せず）を介して行う。
【００３４】
上記のように、本実施の形態における分岐配管部材３００は簡単な構造および少ない部材で構成されており、しかも接続ホース３３０が予め接続された状態であり、低コストでかつ設置作業の時間を短縮することができるものである。
【００３５】
しかも本体３１０に保持部３１８を備え、保持部３１８を相当の大きさに形成することにより、入水接続口３１２と出水接続口３１３の接続に伴う両方の締め付け作業時に本体３１０を確実に保持することができるので施工精度を高めることが可能となり、接続部からの水漏れ等の異常の発生を抑制することができるとともに、施工の作業性を向上することができる。
【００３６】
また、本実施の形態の分岐配管部材３００を使用して衛生洗浄装置１００の設置を行うことにより、設置作業を簡単な作業で短時間実施することができるとともに、高精度の設置状態を得ることができる。
【００３７】
なお、本実施の形態は、接続ホース３３０または固定金具３３１の直径がフランジ３１７の直径よりも小さい場合の内容であるが、接続ホース３３０または固定金具３３１の直径がフランジ３１７の直径よりも大きい場合は、接続ホース３３０または固定金具３３１の大きい方の外周以上に突出した平面を有する保持部３１８を形成することで、同様の効果が得られる。
【産業上の利用可能性】
【００３８】
以上のように、本発明にかかる分岐配管部材は、低コストと作業性を向上することが可能となるので、水以外の配管部材等の用途にも適用できる。
【符号の説明】
【００３９】
１００  衛生洗浄装置
１１２  給水接続部
３００  分岐配管部材
３１０  本体
３１１  胴部
３１６  分岐部
３１５  接続ねじ
３１７  フランジ
３１８  保持部
３２０  袋ナット
３３０  接続ホース
３３１  固定金具
【図６】
0005838294.tif 000002
【図１】
0005838294.tif 000003
【図２】
0005838294.tif 000004
【図３】
0005838294.tif 000005
【図４】
0005838294.tif 000006
【図５】
0005838294.tif 000007